(57)【特許請求の範囲】
【請求項１】
複数の機器を操作するための操作装置であって、
前記複数の機器にそれぞれ対応した複数のアイコンを、表示画面上に表示可能に構成された表示部と、
前記表示画面に対するユーザの入力操作を検出する第１入力部と、
前記第１入力部が、前記表示画面上の前記複数のアイコンの中から少なくとも１つ以上の前記アイコンを選択する操作を検出した場合に、前記少なくとも１つ以上のアイコンを、前記表示画面に予め指定された表示領域内に一覧表示させるように構成された表示制御部と、
前記表示領域に近接する位置に配置された機械式の操作部を含み、前記操作部に対するユーザの入力操作を検出する第２入力部と、
前記第２入力部により検出される入力操作に応答して、前記表示領域内の前記少なくとも１つ以上のアイコンに対応する少なくとも１つ以上の前記機器を、一括して制御するように構成された運転制御部とを備える、操作装置。
【請求項２】
前記表示領域は、前記表示画面内に複数指定され、
前記表示制御部は、前記第１入力部が、前記複数の表示領域のうちの第１表示領域に前記少なくとも１つ以上のアイコンを移動させる操作を検出した場合に、前記少なくとも１つ以上のアイコンを前記第１表示領域内に一括して表示させる、請求項１に記載の操作装置。
【請求項３】
前記操作部は、前記複数の表示領域と一対一に対応するように複数配置され、
前記運転制御部は、前記第２入力部が、複数の前記操作部のうち、前記第１表示領域に対応して配置された第１操作部に対する入力操作を検出した場合に、前記第１表示領域内に表示される前記少なくとも１つ以上のアイコンに対応する前記少なくとも１つ以上の機器を、一括して制御する、請求項２に記載の操作装置。
【請求項４】
前記表示制御部は、前記少なくとも１つ以上の機器の制御中、前記少なくとも１つ以上の機器に対応する前記少なくとも１つ以上のアイコンが表示される前記表示領域内に、前記少なくとも１つ以上の機器の運転状態を表示させる、請求項１から３のいずれか１項に記載の操作装置。
【請求項５】
前記操作部は、
前記少なくとも１つ以上の機器を制御するための第１操作ボタンと、
前記第１操作ボタンに対する入力操作を有効に設定するための第２操作ボタンとを含み、
前記運転制御部は、前記第２操作ボタンによって前記第１操作ボタンに対する入力操作が有効に設定されている場合に、前記第１操作ボタンに対する入力操作に応答して、前記表示領域内の前記少なくとも１つ以上のアイコンに対応する少なくとも１つ以上の前記機器を、一括して制御する、請求項１から４のいずれか１項に記載の操作装置。
【請求項６】
複数の舞台装置を操作するための操作装置であって、
前記複数の舞台装置にそれぞれ対応した複数のアイコンを、表示画面上に並べて表示可能に構成された表示部と、
前記表示画面に対するユーザの入力操作を検出する第１入力部と、
前記第１入力部が、前記複数のアイコンの中から少なくとも１つ以上の前記アイコンを選択する操作を検出した場合に、前記少なくとも１つ以上のアイコンを、前記表示画面内に予め指定された表示領域に一括して表示させるように構成された表示制御部と、
機械式の操作部を含み、前記操作部に対するユーザの入力操作を検出する第２入力部と、
前記第２入力部により検出される入力操作に応答して、前記表示領域内の前記少なくとも１つ以上のアイコンに対応する少なくとも１つ以上の前記舞台機構を、一括して制御するように構成された運転制御部とを備える、操作装置。
【請求項７】
前記操作部は、前記表示領域に近接して配置される、請求項６に記載の操作装置。
【発明の詳細な説明】
【技術分野】
【０００１】
本発明は、複数の機器を操作する操作装置に関する。
【背景技術】
【０００２】
複数の機器を操作する操作装置の一形態として、複数の舞台装置を操作する操作卓が、たとえば、特開２０１４−１２５３２１号公報（特許文献１）に開示されている。
【０００３】
特許文献１に記載された操作卓は、タッチパネルディスプレイを有するタブレット型携帯端末と、操作モジュールとから構成されている。タブレット型携帯端末は、複数のウインチの中から操作したいウインチを選択するための画面をタッチパネルディスプレイに表示し、ユーザのタッチパネル操作によるウインチの選択を可能としている。そして、操作モジュールにおける操作部をユーザが操作することにより、選択したウインチを駆動できるようになっている。
【先行技術文献】
【特許文献】
【０００４】
【特許文献１】特開２０１４−１２５３２１号公報
【発明の概要】
【発明が解決しようとする課題】
【０００５】
上記のような操作装置においては、任意に選択した複数の舞台装置を１つの操作部に割り付けることで、当該操作部をユーザが操作することにより、選択された複数の舞台装置を一括して駆動することができる。
【０００６】
しかしながら、操作部ごとに、どの舞台装置が割り付けられたかをユーザが記憶しておく必要がある。大きな劇場やホールに設置される操作装置では、操作対象となる舞台装置の数も多くなる。この場合、一括操作の対象となる全ての舞台装置をユーザが把握することが困難となる。これにより、誤操作が生じることが懸念される。
【０００７】
この発明は、このような問題点を解決するためになされたものであって、その目的は、複数の機器を一括して操作するときの誤操作を防止することが可能な操作装置を提供することである。
【課題を解決するための手段】
【０００８】
本発明のある局面によれば、複数の機器を操作するための操作装置は、複数の機器にそれぞれ対応した複数のアイコンを、表示画面上に表示可能に構成された表示部と、表示画面に対するユーザの入力操作を検出する第１入力部と、第１入力部が、表示画面上の複数のアイコンの中から少なくとも１つ以上のアイコンを選択する操作を検出した場合に、少なくとも１つ以上のアイコンを、表示画面に予め指定された表示領域内に一覧表示させるように構成された表示制御部と、表示領域に近接する位置に配置された機械式の操作部を含み、操作部に対するユーザの入力操作を検出する第２入力部と、第２入力部により検出される入力操作に応答して、表示領域内の少なくとも１つ以上のアイコンに対応する少なくとも１つ以上の機器を、一括して制御するように構成された運転制御部とを備える。
【０００９】
上記操作装置によれば、表示部の表示画面上の表示領域には、共通のグループに属する機器の一覧が表示されるため、ユーザに対し、グループに属する機器を容易に認識させることができる。また、表示領域に近接する位置に操作部が配置されているため、ユーザに対し、一括操作の対象に選択したグループの運転を制御するための操作部と、それ以外の操作部とを区別して認識させることができる。さらに、機械式の操作部を用いてグループの運転を制御する構成としたことにより、押し間違いや押し損じといったユーザの誤った操作を防ぐことができる。この結果、複数の機器を一括して操作するときの誤操作を防止することができる。
【００１０】
好ましくは、表示領域は、表示画面内に複数指定される。表示制御部は、第１入力部が、複数の表示領域のうちの第１表示領域に少なくとも１つ以上のアイコンを移動させる操作を検出した場合に、少なくとも１つ以上のアイコンを第１表示領域内に一括して表示させる。
【００１１】
このように構成すると、表示画面上での操作によって、少なくとも１つ以上の機器を１つのグループとしてグルーピングする処理を簡易に行なうことができる。また、表示画面上には、グループごとに指定された表示領域に、共通のグループに属する舞台装置の一覧が表示されるため、ユーザに対し、各グループに属する舞台装置を容易に認識させることができる。
【００１２】
好ましくは、操作部は、複数の表示領域と一対一に対応するように複数配置される。運転制御部は、第２入力部が、複数の操作部のうち、第１表示領域に対応して配置された第１操作部に対する入力操作を検出した場合に、第１表示領域内に表示される少なくとも１つ以上のアイコンに対応する少なくとも１つ以上の機器を、一括して制御する。
【００１３】
このように構成すると、ユーザに対し、一括操作の対象に選択したグループの運転を制御するための操作部と、それ以外の操作部とを区別して認識させることができる。これにより、ユーザが、上記それ以外の操作部を誤って操作してしまうことを防止できる。
【００１４】
好ましくは、表示制御部は、少なくとも１つ以上の機器の制御中、少なくとも１つ以上の機器に対応する少なくとも１つ以上のアイコンが表示される表示領域内に、少なくとも１つ以上の機器の運転状態を表示させる。
【００１５】
このように構成すると、一括操作の対象となるグループに属する舞台装置の運転状態をユーザに分かり易く知らせることができる。その結果、たとえば、グループに属する舞台装置に異常が発生した場合に、舞台装置の運転停止を迅速に実施することができる。
【００１６】
好ましくは、操作部は、少なくとも１つ以上の機器を制御するための第１操作ボタンと、第１操作ボタンに対する入力操作を有効に設定するための第２操作ボタンとを含む。運転制御部は、第２操作ボタンによって第１操作ボタンに対する入力操作が有効に設定されている場合に、第１操作ボタンに対する入力操作に応答して、表示領域内の少なくとも１つ以上のアイコンに対応する少なくとも１つ以上の機器を、一括して制御する。
【００１７】
このように構成すると、ユーザが、一括操作の対象に選択されていないグループに対応する操作ボタンを誤って操作した場合において、当該グループに属する舞台装置が誤って作動するのを防ぐことができる。
【００１８】
本発明の別の局面によれば、複数の舞台装置を操作するための操作装置は、複数の舞台装置にそれぞれ対応した複数のアイコンを、表示画面上に並べて表示可能に構成された表示部と、表示画面に対するユーザの入力操作を検出する第１入力部と、第１入力部が、複数のアイコンの中から少なくとも１つ以上のアイコンを選択する操作を検出した場合に、少なくとも１つ以上のアイコンを、表示画面内に予め指定された表示領域に一括して表示させるように構成された表示制御部と、機械式の操作部を含み、操作部に対するユーザの入力操作を検出する第２入力部と、第２入力部により検出される入力操作に応答して、表示領域内の少なくとも１つ以上のアイコンに対応する少なくとも１つ以上の舞台機構を、一括して制御するように構成された運転制御部とを備える。
【００１９】
上記舞台操作装置によれば、表示部の表示画面上の表示領域には、共通のグループに属する舞台装置の一覧が表示されるため、ユーザに対し、グループに属する舞台装置を容易に認識させることができる。また、機械式の操作部を用いてグループに属する舞台装置を制御する構成としたことにより、押し間違いや押し損じといったユーザの誤った操作を防ぐことができる。この結果、複数の舞台装置を一括して操作するときの誤操作を防止することができる。
【００２０】
好ましくは、操作部は、表示領域に近接して配置される。このように構成すると、表示領域に近接する位置に操作部が配置されているため、ユーザに対し、一括操作の対象に選択したグループの運転を制御するための操作部と、それ以外の操作部とを区別して認識させることができる。これにより、複数の舞台装置を一括して操作するときの誤操作を防止できる。
【発明の効果】
【００２１】
本発明によれば、複数の機器を一括して操作する機能を有する操作装置の操作性を向上させることができる。
【図面の簡単な説明】
【００２２】
【図１】この発明の実施の形態に従う舞台操作装置の概略構成図である。
【図２】舞台操作装置の機能構成の一例を示すブロック図である。
【図３】グルーピング処理開始前にタッチスクリーンに表示される初期画面の一例を示す図である。
【図４】グルーピング処理時にタッチスクリーンに表示される画面の一例を示す図である。
【図５】グルーピング処理が実行されたときの画面遷移の一例を示す図である。
【図６】グルーピング処理が実行されたときのアイコンの一例を示す図である。
【図７】テーブルの一例を示す図である。
【図８】タッチスクリーンおよび操作部の構成を示す図である。
【図９】舞台操作装置における一括操作処理を説明するためのフローチャートである。
【図１０】一括操作処理の実行中にタッチスクリーンに表示される画面の一例を示す図である。
【図１１】この発明の実施の形態の変形例に従う舞台操作装置のタッチスクリーンおよび操作部の構成を示す図である。
【図１２】変形例に従う舞台操作装置における一括操作処理を説明するためのフローチャートである。
【発明を実施するための形態】
【００２３】
本発明の実施の形態について、図面を参照しながら詳細に説明する。なお、図中の同一または相当する部分については、同一符号を付してその説明は繰り返さない。
【００２４】
［舞台操作装置の構成］
図１は、この発明の実施の形態に従う操作装置の一実施の形態として示される舞台操作装置１の概略構成図である。この発明の実施の形態に従う舞台操作装置１は、複数の舞台装置ＳＡ１〜ＳＡｎ（ｎは２以上の整数）を操作するための操作装置である。
【００２５】
図１を参照して、舞台装置ＳＡ１〜ＳＡｎは、スタジオ、劇場、ホール、宴会場などの大規模な施設の舞台部分に設置される装置である。舞台装置には、舞台上部から吊り下げた大道具、照明器具、スクリーン設備、舞台幕および音響反射板などを、演出効果や格納のために昇降させるための吊物機構や、大道具の搬出入や演出上の効果を得るために舞台床を動かす床機構などが含まれる。舞台操作装置１は、複数の舞台装置ＳＡ１〜ＳＡｎを一元的に制御することによって舞台を演出するために用いられる。
【００２６】
舞台操作装置１は、複数の舞台装置ＳＡ１〜ＳＡｎとの間で通信可能に構成されている。舞台操作装置１は、通常、舞台装置の存在する舞台付近の現場、もしくは現場から離れた調整室などに設置される。なお、本実施の形態においては、舞台操作装置１が各舞台装置と直接通信する場合について説明するが、ネットワークを介して各舞台装置と通信する方式としてもよい。有線あるいは無線のいずれの通信も可能である。
【００２７】
舞台操作装置１は、タッチスクリーン２と、操作卓３と、タッチスクリーン２と操作卓３とを連結する連結部材４とを備える。タッチスクリーン２は、ディスプレイとタッチパネルとにより構成される。タッチスクリーン２は、各種データの表示および入力を受け付けるためのデバイスである。タッチスクリーン２の詳細な構成については後述する。
【００２８】
操作卓３には、ユーザにより操作可能な操作部５が設けられている。操作部５は、機械式の操作ボタン群により構成される。機械式の操作ボタンは可動部を有する。機械式の操作ボタンには、たとえば、押圧式のボタン、レバースイッチ、スティックコントローラ、ジョグダイヤル、ロータリーエンコーダ、フェーダなどが含まれる。
【００２９】
舞台操作装置１は、タッチスクリーン２（タッチパネル）に対する入力操作、および操作部５に対する入力操作に基づいて、複数の舞台装置ＳＡ１〜ＳＡｎの各々の運転を制御するための制御指令を生成する。舞台操作装置１は、生成した制御指令を対応する舞台装置に送信する。舞台装置ＳＡ１〜ＳＡｎは、制御部Ｃ１〜Ｃｎをそれぞれ含んでいる。各制御部は、舞台操作装置１からの制御指令を受信すると、制御指令に従って舞台装置の各部の動作を制御する。
【００３０】
舞台装置ＳＡ１〜ＳＡｎの各々は、定期的に自装置の状態を示す状態情報を舞台操作装置１に送信する。状態情報は、自装置の運転状態、たとえば現在運転中か停止中であるかを示す情報、運転が正常に行なわれているか、あるいは異常が発生したかを示す情報などの情報を含んでいる。各舞台装置は、自装置の識別情報（装置番号など）とともに状態情報を舞台操作装置１に送信してもよい。
【００３１】
（舞台操作装置の機能構成）
図２は、舞台操作装置１の機能構成の一例を示すブロック図である。図２を参照して、舞台操作装置１は、表示部２０と、第１入力部２２と、第２入力部３０と、制御部３２と、記憶部３８と、通信部４０とを含む。
【００３２】
表示部２０は、タッチスクリーン２（図１参照）のディスプレイにより構成される。ディスプレイは画像を表示するための表示画面を含んで構成されている。表示部２０は、制御部３２からの指示に基づいて、情報を表示する。
【００３３】
第１入力部２２は、タッチスクリーン２のタッチパネルにより構成される。第１入力部２２は、表示部２０の表示画面に対するユーザの入力操作を検出する。具体的には、タッチパネルは、表示部２０としての機能を有するディスプレイ上に設けられており、たとえば、静電容量方式タイプである。タッチパネルは、所定時間ごとにタッチパネルへのタッチ操作を検出し、タッチ座標を制御部３２に入力する。
【００３４】
第２入力部３０は、操作卓３に設けられた操作部５（図１参照）により構成される。上記のように、操作部５は機械式の操作ボタン群である。第２入力部３０は、操作部５の各操作ボタンに対するユーザの入力操作を検出する。
【００３５】
制御部３２は、主にＣＰＵ（Central  Processing  Unit）で構成され、記憶部３８に格納されているプログラムを当該ＣＰＵが実行することにより、舞台操作装置１の各部を統括的に制御する。制御部３２は、表示制御部３４と、運転制御部３６とを含む。表示制御部３４は、表示部２０（ディスプレイ）の表示を制御する。運転制御部３６は、操作対象となる舞台装置ＳＡ１〜ＳＡｎの運転を制御する。
【００３６】
記憶部３８は、ＲＡＭ（Random  Access  Memory）およびフラッシュメモリなどの記憶装置であり、舞台操作装置１の各種機能を実現するためのプログラム等が格納されている。
【００３７】
通信部４０は、舞台装置ＳＡ１〜ＳＡｎの各々と通信を行なう。具体的には、通信部４０は、各舞台装置の通信部との間で情報の送受信を行なう。なお、通信部４０は、無線あるいは有線のいずれの通信も可能である。
【００３８】
なお、制御部３２、記憶部３８および通信部４０の各々は、図２に示すように操作卓３に実装されてもよいし、タッチスクリーン２に実装されてもよいし、外部装置に実装されてもよい。
【００３９】
（舞台装置の機能構成）
舞台装置ＳＡ１は、通信部Ｔ１と、制御部Ｃ１と、駆動部Ｄ１を含む。通信部Ｔ１は、舞台操作装置１の通信部４０との間で情報の送受信の処理を行なう。
【００４０】
制御部Ｃ１は、通信部Ｔ１を介して舞台操作装置１からの制御指令を受けると、舞台装置ＳＡ１の各部の動作を制御するための制御信号を生成する。
【００４１】
駆動部Ｄ１は、バトンなどの負荷と、負荷を駆動するためのドライバとを含んで構成される。駆動部Ｄ１は、制御部Ｃ１により生成された制御信号に基づいてドライバを駆動することにより、バトンなどの負荷を移動させる。
【００４２】
舞台装置ＳＡ２〜ＳＡｎの各々は、舞台装置ＳＡ１と基本的な機能構成が同じであるため、その説明を省略する。なお、上記舞台装置の構成は必ずしも必須の構成ではなく、たとえば駆動部については、装置に応じて機能を追加あるいは削除することも可能である。
【００４３】
［舞台操作装置の動作］
次に、本発明の実施の形態に従う舞台操作装置１の動作について説明する。
【００４４】
本実施の形態に従う舞台操作装置１は、少なくとも１つ以上の舞台装置を１つのグループとしてグルーピングする処理（グルーピング処理）と、当該グループに含まれる少なくとも１つ以上の舞台装置を一括して操作する処理（一括操作処理）とを実行可能に構成されている。
【００４５】
＜グルーピング処理＞
まず、複数の舞台装置ＳＡ１〜ＳＡｎをグルーピングする処理について説明する。グルーピング処理は、以下に述べるように、タッチスクリーン２に対するユーザの入力操作に基づいて実行される。
【００４６】
図３は、グルーピング処理開始前にタッチスクリーン２に表示される初期画面の一例を示す図である。図３を参照して、タッチスクリーン２のディスプレイには、その表示画面上に、複数の舞台装置ＳＡ１〜ＳＡｎにそれぞれ対応する複数のアイコン７が表示されている。以下の説明では、合計１００個の舞台装置ＳＡ１〜ＳＡ１００にそれぞれ対応して合計１００個のアイコン７が表示されている場合を想定する。
【００４７】
アイコン７は、たとえば長方形で示され、１０×１０のマトリクス状に表示されている。各アイコン７には、対応する舞台装置を特定するために、舞台装置の識別情報が表示されている。識別情報は、図３に示されるように舞台装置に付された装置番号であってもよいし、舞台装置の名称等であってもよい。図３は、舞台装置ＳＡ１〜ＳＡ１００のそれぞれに、「０１」から順に装置番号が割り振られている例を示している。すなわち、アイコン「装置０１」は舞台装置ＳＡ１に対応し、アイコン「装置１００」は舞台装置ＳＡ１００に対応する。
【００４８】
なお、図３では、装置番号順にアイコン７を配列して表示する構成について例示したが、舞台上に設置された舞台装置ＳＡ１〜ＳＡ１００の設置レイアウトを表示する構成としてもよい。設置レイアウト図では、舞台上の取り付け位置に対応させて各舞台装置のアイコン７が表示される。
【００４９】
各アイコン７は、タッチスクリーン２上においてドラッグアンドドロップ操作が可能となっている。ユーザは、アイコン７のドラッグアンドドロップ操作によって、舞台装置ＳＡ１〜ＳＡ１００をグルーピングすることができる。
【００５０】
図４は、グルーピング処理時にタッチスクリーン２に表示される画面の一例を示す図である。図４を参照して、舞台操作装置１がグルーピング処理を行なうためのモードに移行すると、タッチスクリーン２のディスプレイの表示画面は、上部領域２０Ａと下部領域２０Ｂとに分割される。
【００５１】
表示画面の上部領域２０Ａには、図３に示した初期画面と同様に、舞台装置ＳＡ１〜ＳＡ１００に対応するアイコン「装置０１」〜「装置１００」が表示されている。
【００５２】
表示画面の下部領域２０Ｂは、さらに複数の表示領域に分割される。図４では、一例として、下部領域２０Ｂは４つの表示領域８Ａ〜８Ｄに分割されている。４つの表示領域８Ａ〜８Ｄは、タッチスクリーン２の水平方向（図４の左右方向）に配列されている。複数の表示領域８Ａ〜８Ｄの各々は、グルーピング処理によって共通のグループに割り付けられた舞台装置を一覧表示させるための領域である。
【００５３】
４つの表示領域８Ａ〜８Ｄの各々には、グループを特定する情報が表示されている。グループを特定する情報は、たとえばグループ名である。図４では、一例として、表示領域８Ａを「グループ０１」とし、表示領域８Ｂを「グループ０２」とし、表示領域８Ｃを「グループ０３」とし、表示領域８Ｄを「グループ０４」としている。なお、グループ名に代えて、グループに関連付けられた機能の名称を表示領域ごとに表示してもよい。
【００５４】
図５は、グルーピング処理が実行されたときの画面遷移の一例を示す図である。図５を参照して、タッチスクリーン２上において、例えば、ユーザがアイコン７を指Ｆで押圧した状態で指Ｆを動かすと、アイコン７が指Ｆの動きに追従するようになっている（ドラッグ操作）。そして、ユーザが指Ｆをタッチスクリーン２から離すと、離された位置にアイコン７が表示される（ドロップ操作）。図５では、アイコン「装置０３」を表示領域８Ｃにまでドラッグアンドドロップ操作する例が示されている。これにより、アイコン「装置０３」は、表示領域８Ｃに対応する「グループ０３」に割り付けられる。すなわち、「グループ０３」には、「装置０３」に対応する舞台装置ＳＡ３が属することになる。
【００５５】
図５では、上述したドラッグアンドドロップ操作によって、「グループ０１」にアイコン「装置０１」および「装置０２」が割り付けられ、「グループ０２」にアイコン「装置０２」、「装置１０」および「装置２１」が割り付けられている。すなわち、「グループ０１」には、「装置０１」に対応する舞台装置ＳＡ１および「装置０２」に対応する舞台装置ＳＡ２が属する。また、「グループ０２」には、「装置０２」に対応する舞台装置ＳＡ２、「装置１０」に対応する舞台装置ＳＡ１０および、「装置２１」に対応する舞台装置ＳＡ２１が属する。なお、アイコン「装置０２」のように、１つのアイコンを複数のグループに割り付けることも可能である。
【００５６】
このように、表示領域８Ａ〜８Ｄの各々は、共通のグループに割り付けられた舞台装置を一覧表示する。グルーピング処理は、第１入力部２２（タッチパネル）および表示制御部３４の協働動作によって実行される。具体的には、表示制御部３４は、第１入力部２２が、複数の表示領域８Ａ〜８Ｄのうちの表示領域８Ａに、少なくとも１つ以上のアイコン７を移動させる操作（ドラッグアンドドロップ操作）を検出した場合、当該少なくとも１つ以上のアイコン７を表示領域８Ａ内に一覧表示させる。
【００５７】
表示領域２０Ａでは、いずれかのグループに割り付けられたアイコン７には、図６に示すように、対応する舞台装置の識別情報とともに、当該舞台装置が属するグループを特定する情報（グループ名など）が表示される。これによれば、ユーザは、アイコン７を参照することで、各舞台装置がどのグループに割り付けられたかを知ることができる。
【００５８】
なお、ユーザが、タッチスクリーン２に対して、グループに割り付けられたアイコン７を消去するための操作を行なった場合には、表示制御部３４は、対応する表示領域からアイコン７を消去する。アイコン７を消去するための操作とは、たとえば、ユーザが、表示領域８Ａ〜８Ｄ内のアイコン７を指で押圧した状態で当該指を所定の方向に所定の距離以上スライドさせる操作である。
【００５９】
上述したグルーピング処理が実行されると、各グループに関する情報（グループ情報）を示すテーブルが作成される。図７はテーブルの一例を示す図である。図７を参照して、グループ情報は、グループに属する各舞台装置の情報として、各舞台装置の識別情報（たとえば装置番号）を含んでいる。作成されたテーブルは、記憶部３８に記憶される。
【００６０】
＜一括操作処理＞
次に、グループ化された少なくとも１つ以上の舞台装置を一括して操作する処理について説明する。一括操作処理は、以下に述べるように、操作部５に対するユーザの入力操作に基づいて実行される。
【００６１】
図８は、タッチスクリーン２および操作部５の構成を示す図である。図８を参照して、タッチスクリーン２の複数の表示領域８Ａ〜８Ｄの各々には、共通のグループに割り付けられた舞台装置が一覧表示されている。
【００６２】
操作卓３に設けられた操作部５は、機械式の操作ボタン群により構成される。操作ボタン群は、複数の操作ボタン部に区分されている。複数の操作ボタン部は、タッチスクリーン２の表示画面上の複数の表示領域と一対一に対応するように配置されている。図８には、４つの表示領域８Ａ〜８Ｄをタッチスクリーン２の水平方向（図８の左右方向）に配列したことに応じて、４つの操作ボタン部５０Ａ〜５０Ｄを操作卓３の水平方向（図８の左右方向）に配列される例が示されている。具体的には、操作ボタン部５０Ａは表示領域８Ａに近接して配置され、操作ボタン部５０Ｂは表示領域８Ｂに近接して配置され、操作ボタン部５０Ｃは表示領域８Ｃに近接して配置され、操作ボタン部５０Ｄは表示領域８Ｄに近接して配置される。
【００６３】
操作ボタン部５０Ａは、表示領域８Ａに表示される「グループ０１」に属する舞台装置ＳＡ１，ＳＡ２を一括して操作するための操作ボタンにより構成される。操作ボタン部５０Ａは、複数の操作ボタン５Ａ１〜５Ｅ１を含む。複数の操作ボタン５Ａ１〜５Ｅ１は、図８に示されるように、表示領域８Ａに対して垂直な方向（図８の上下方向）に配列されている。
【００６４】
操作ボタン５Ｂ１〜５Ｅ１は、「グループ０１」に属する舞台装置ＳＡ１，ＳＡ２の運転を一括して制御するための操作ボタンである。たとえば、操作ボタン５Ｂ１は、舞台装置ＳＡ１，ＳＡ２の各々を上昇させるための操作ボタンであり、操作ボタン５Ｃ１は、舞台装置ＳＡ１，ＳＡ２の各々を下降させるための操作ボタンである。操作ボタン５Ｄ１は、舞台装置ＳＡ１，ＳＡ２の運転を停止させるための操作ボタンである。操作ボタン５Ｅ１は、舞台装置ＳＡ１，ＳＡ２の各々が上昇または下降するときの移動速度を調整するための操作ボタンである。なお、操作ボタン５Ｅ１の操作量に対する舞台装置ＳＡ１，ＳＡ２の各々の移動速度の変化量（増加量または減少量）は、個別に設定することが可能である。また、操作ボタン５Ｂ１〜５Ｅ１の各々の機能は、操作の対象となる舞台装置ごとに設定することができ、その設定内容は記憶部３８に記憶される。一括操作中は、舞台装置に応じた設定内容が記憶部３８から読み出され、その設定内容に従って運転制御部３６が舞台装置の動作を制御する。
【００６５】
操作ボタン５Ａ１は、操作ボタン５Ｂ１〜５Ｅ１に対する入力操作を有効に設定するための操作ボタンである。ユーザが、操作ボタン５Ａ１への入力操作を行なうことによって、操作ボタン５Ｂ１〜５Ｅ１に対する入力操作が有効に設定される。すなわち、ユーザは、操作ボタン５Ａ１への入力操作を行なった後に、操作ボタン５Ｂ１〜５Ｅ１を用いて舞台装置ＳＡ１，ＳＡ２を操作することができる。言い換えれば、操作ボタン５Ａ１は、「グループ０１」を一括操作の対象に選択するための操作ボタンである。「グループ０１」が一括操作の対象に選択されていない状態において、操作ボタン５Ｂ１〜５Ｅ１に対する入力操作は無効とされている。
【００６６】
操作ボタン部５０Ｂは、表示領域８Ｂに表示される「グループ０２」に属する舞台装置ＳＡ２，ＳＡ１０，ＳＡ２１を一括して操作するための操作ボタンにより構成される。操作ボタン部５０Ｂは、複数の操作ボタン５Ａ２〜５Ｅ２を含む。複数の操作ボタン５Ａ２〜５Ｅ２は、図８に示されるように、表示領域８Ｂに対して垂直な方向に配列されている。操作ボタン５Ｂ２〜５Ｅ２は、「グループ０２」に属する舞台装置ＳＡ２，ＳＡ１０，ＳＡ２１の運転を一括して制御するための操作ボタンである。操作ボタン５Ａ２は、操作ボタン５Ｂ２〜５Ｅ２に対する入力操作を有効に設定するための操作ボタンであり、かつ、「グループ０２」を一括操作の対象に選択するための操作ボタンである。
【００６７】
操作ボタン部５０Ｃは、表示領域８Ｃに表示される「グループ０３」に属する舞台装置ＳＡ３，ＳＡ６０，ＳＡ７５，ＳＡ１００を一括して操作するための操作ボタンにより構成される。操作ボタン部５０Ｃは、複数の操作ボタン５Ａ３〜５Ｅ３を含む。複数の操作ボタン５Ａ３〜５Ｅ３は、図８に示されるように、表示領域８Ｃに対して垂直な方向に配列されている。操作ボタン５Ｂ３〜５Ｅ３は、「グループ０３」に属する舞台装置ＳＡ３，ＳＡ６０，ＳＡ７５，ＳＡ１００の運転を一括して制御するための操作ボタンである。操作ボタン５Ａ３は、操作ボタン５Ｂ３〜５Ｅ３に対する入力操作を有効に設定するための操作ボタンであり、かつ、「グループ０３」を一括操作の対象に選択するための操作ボタンである。
【００６８】
操作ボタン部５０Ｄは、表示領域８Ｄに表示される「グループ０４」に属する舞台装置ＳＡ５，ＳＡ３０，ＳＡ３２を一括して操作するための操作ボタンにより構成される。操作ボタン部５０Ｄは、複数の操作ボタン５Ａ４〜５Ｅ４を含む。複数の操作ボタン５Ａ４〜５Ｅ４は、図８に示されるように、表示領域Ｄに対して垂直な方向に配列されている。操作ボタン５Ｂ４〜５Ｅ４は、「グループ０４」に属する舞台装置ＳＡ５，ＳＡ３０，ＳＡ３２の運転を一括して制御するための操作ボタンである。操作ボタン５Ａ４は、操作ボタン５Ｂ４〜５Ｅ４に対する入力操作を有効に設定するための操作ボタンであり、「グループ０４」を一括操作の対象に選択するための操作ボタンである。
【００６９】
以上説明したように、表示領域８Ａ〜８Ｄと一対一に対応して配置される操作ボタン５Ａ１〜５Ａ４が操作されることによって、一括操作の対象となるグループが選択される。そして、一括操作の対象に選択されたグループの表示領域に近接した位置に配置される操作ボタン部に対する入力操作に従って、当該グループに属する舞台装置の運転が一括して制御される。なお、上記において、操作ボタン５Ａ１〜５Ａ４は、この発明における「第２操作ボタン」の一実施例に対応し、操作ボタン５Ｂ１〜５Ｂ４，５Ｃ１〜５Ｃ４，５Ｄ１〜５Ｄ４，５Ｅ１〜５Ｅ４は、この発明における「第１操作ボタン」の一実施例に対応する。
【００７０】
一括操作処理は、第２入力部３０（操作部５）および運転制御部３６の協働動作によって実行される。具体的には、運転制御部３６は、第２入力部により検出される入力操作に応答して、表示領域内の少なくとも１つ以上のアイコン７に対応する少なくとも１つ以上の舞台装置の運転を一括して制御する。
【００７１】
図９は、舞台操作装置１における一括操作処理を説明するためのフローチャートである。なお、図９に示すフローチャートは、制御部３２を構成するＣＰＵに予め格納したプログラムが所定周期または所定の条件が成立した場合に呼び出されて実行されることで実現できる。
【００７２】
図９を参照して、まず、制御部３２は、一括操作の対象となるグループを選択する入力操作が行なわれたか否かを判定する（ステップＳ０１）。具体的には、制御部３２は、第２入力部３０（操作部５）から入力される信号に基づき、ユーザが、操作ボタン５Ａ１〜５Ａ４（第２操作ボタン）のいずれかに対する入力操作を行なったか否かを判定する。ユーザが、操作ボタン５Ａ１〜５Ａ４のいずれかに入力操作を行なったと判定された場合（ステップＳ０１のＹＥＳ判定時）、制御部３２は、第２入力部３０からの信号に基づいて、一括操作の対象となるグループを特定する。制御部３２はさらに、図７に示したテーブルを参照することにより、特定されたグループに属する少なくとも１つ以上の舞台装置を特定する（ステップＳ０２）。
【００７３】
たとえば、ユーザが操作ボタン５Ａ１への入力操作を行なったと判定された場合には、制御部３２は、「グループ０１」を一括操作の対象となるグループとして特定するとともに、「グループ０１」に属する舞台装置ＳＡ１，ＳＡ２を特定する。制御部３２はさらに、特定された舞台装置の運転を一括して制御するための操作ボタン部に対する入力操作を有効に設定する。たとえば、「グループ０１」に属する舞台装置ＳＡ１，ＳＡ２を特定した場合には、制御部３２は、操作ボタン部５０Ａの操作ボタン５Ｂ１〜５Ｅ１（第１操作ボタン）に対する入力操作を有効に設定する。
【００７４】
一方、操作ボタン５Ａ１〜５Ａ４のいずれにも押圧する操作が行なわれなかったと判定した場合（ステップＳ０１のＮＯ判定時）には、制御部３２は一括操作に関する処理を終了する。
【００７５】
ステップＳ０２により一括操作の対象となるグループおよび、当該グループに属する舞台装置が特定されると、制御部３２は、当該舞台装置を一括して操作する入力操作が行なわれたか否かを判定する（ステップＳ０３）。具体的には、制御部３２は、第２入力部３０から入力される信号に基づき、ユーザが、有効に設定されている操作ボタン部に対する入力操作を行なったか否かを判定する。操作ボタン部に対する入力操作が行なわれていないと判定された場合（ステップＳ０３のＮＯ判定時）、舞台操作装置１は入力待機の状態となる（ステップＳ０５）。
【００７６】
これに対して、ユーザが、有効に設定されている操作ボタン部に対する入力操作を行なったと判定された場合（ステップＳ０３のＹＥＳ判定時）には、制御部３２は、一括操作の対象となる舞台装置の運転を一括して制御する（ステップＳ０４）。たとえば、操作ボタン部５０Ａの操作ボタン５Ｂ１〜５Ｅ１が有効に設定されている場合において、操作ボタン５Ｂ１〜５Ｅ１のいずれかに対して入力操作が行なわれたときには、制御部３２は、入力操作が行なわれた操作ボタンの設定内容に従って、舞台装置ＳＡ１，ＳＡ２の運転を一括して制御する。
【００７７】
図１０は、一括操作処理の実行中にタッチスクリーン２に表示される画面の一例を示す図である。図１０を参照して、たとえば、ユーザが、操作ボタン５Ａ１への入力操作を行なった場合、「グループ０１」が一括操作の対象に特定される。そして、操作ボタン５Ｂ１〜５Ｅ１に対する入力操作が有効に設定される。ユーザが、操作ボタン５Ｂ１〜５Ｅ１に対する入力操作を行なうことにより、「グループ０１」に属する舞台装置ＳＡ１，ＳＡ２の運転が一括して制御される。図１０では、操作ボタン５Ｃ１が操作された例が示されている。
【００７８】
舞台装置ＳＡ１，ＳＡ２の運転中、「グループ０１」に対応する表示領域８Ａには、各舞台装置の運転状態を示す情報（運転情報）９Ａが表示される。運転情報９Ａは、舞台装置ＳＡ１，ＳＡ２の各々が舞台操作装置１に向けて送信する状態情報に基づいて生成される。これにより、舞台装置から送信される状態情報に、異常が発生したことを示す情報が含まれている場合には、異常が発生している舞台装置および異常内容を示すエラー情報がユーザに向けて表示される。
【００７９】
このように、この発明の実施の形態に従う舞台操作装置１によれば、タッチスクリーン２上での操作によって、少なくとも１つ以上の舞台装置を１つのグループとしてグルーピングする処理を簡易に行なうことができる。また、タッチスクリーン２の表示画面上には、グループごとに指定された表示領域８Ａ〜８Ｄに、共通のグループに属する舞台装置の一覧が表示されるため、ユーザに対し、各グループに属する舞台装置を容易に認識させることができる。これにより、ユーザが、一括操作の対象となるグループを誤って選択してしまうことを防ぐことができる。
【００８０】
さらに、グループごとに指定された表示領域８Ａ〜８Ｄに一対一に対応するように、機械式の操作ボタンからなる操作ボタン部５０Ａ〜５０Ｄが配置されているため、ユーザに対し、一括操作の対象に選択したグループの運転を制御するための操作ボタンと、それ以外の操作ボタンとを区別して認識させることができる。
【００８１】
また、各操作ボタンは、機械式の操作ボタンにより構成されているため、タッチスクリーン２上に表示された電気式の操作ボタン（タッチパネル）を操作する構成と比較して、押し間違いや押し損じといったユーザの誤った操作を減らすことができる。
【００８２】
さらに、操作ボタン部５０Ａ〜５０Ｄに、操作ボタンに対する入力操作を有効に設定するための操作ボタン５Ａ１〜５Ａ４をそれぞれ設けたことにより、一括操作の対象に選択されたグループに対応する操作ボタンのみが有効に設定される。これにより、ユーザが、一括操作の対象に選択されていないグループに対応する操作ボタンを誤って操作した場合に、当該グループに属する舞台装置が誤って作動するのを防ぐことができる。
【００８３】
また、一括操作処理の実行中、操作対象のグループに対応する表示領域にはグループに属する舞台装置の運転情報が表示されるため、グループに属する舞台装置の運転状態をユーザに分かり易く知らせることができる。その結果、たとえば、グループに属する舞台装置に異常が発生した場合には、舞台装置の運転停止を迅速に実施することができる。
【００８４】
（変形例）
（１）上述した実施の形態では、操作部５における複数の操作ボタン部５０Ａ〜５０Ｄに、操作ボタンに対する入力操作を有効に設定するための操作ボタン５Ａ１〜５Ａ４（第２操作ボタン）をそれぞれ設ける構成について例示したが、各操作ボタン部の構成例は、このような構成に限定されるものではない。
【００８５】
図１１は、本発明の実施の形態の変形例に従う舞台操作装置の操作部の構成を示す図である。図１１を参照して、本変形例に従う舞台操作装置では、操作ボタン部５０Ａ〜５０Ｄの各々は、対応するグループに属する舞台装置を一括して制御するための操作ボタン（第１操作ボタン）のみで構成されている。たとえば、操作ボタン部５０Ａは、「グループ０１」に属する舞台装置ＳＡ１，ＳＡ２を一括して操作するための複数の操作ボタン５Ｂ１〜５Ｆ１を含んでいる。
【００８６】
図１２は、本変形例に従う舞台操作装置における一括操作処理を説明するためのフローチャートである。なお、図１２に示すフローチャートは、制御部３２を構成するＣＰＵに予め格納したプログラムが所定周期または所定の条件が成立した場合に呼び出されて実行されることで実現できる。
【００８７】
図１２を参照して、まず、制御部３２は、舞台装置を一括して操作する入力操作が行なわれたか否かを判定する（ステップＳ１１）。具体的には、制御部３２は、第２入力部３０（操作部５）から入力される信号に基づき、ユーザが、操作ボタン部５０Ａ〜５０Ｄのいずれかに対する入力操作を行なったか否かを判定する。操作ボタン部５０Ａ〜５０Ｄのいずれにも入力操作が行なわれていないと判定された場合（ステップＳ１１のＮＯ判定時）、舞台操作装置１は入力待機の状態となる（ステップＳ１４）。
【００８８】
一方、ユーザが、操作ボタン部５０Ａ〜５０Ｄのいずれかに入力操作を行なったと判定された場合（ステップＳ１１のＹＥＳ判定時）、制御部３２は、第２入力部３０からの信号に基づいて、一括操作の対象となるグループを特定する。制御部３２はさらに、図７に示したテーブルを参照することにより、特定されたグループに属する少なくとも１つ以上の舞台装置を特定する（ステップＳ１２）。そして、制御部３２は、入力操作が行なわれた操作ボタンの設定内容に従って、一括操作の対象となる舞台装置の運転を一括して制御する（ステップＳ１３）。
【００８９】
たとえば、ユーザが操作ボタン５Ｂ１への入力操作を行なったと判定された場合には、制御部３２は、「グループ０１」を一括操作の対象となるグループとして特定するとともに、「グループ０１」に属する舞台装置ＳＡ１，ＳＡ２を特定する。そして、制御部３２は、操作ボタン５Ｂ１の設定内容（たとえば上昇）に従って、舞台装置ＳＡ１，ＳＡ２の運転を一括して制御する。
【００９０】
（２）上述した実施の形態では、「第１操作ボタン」を構成する操作ボタン５Ｂ１〜５Ｅ１に対して、「（舞台装置の）上昇」、「下降」、「運転停止」、「移動速度調整」の機能をそれぞれ設定する構成を例示した。ただし、操作ボタンの機能はこれらの機能に限定されるものではない。たとえば、「グループ０１」に舞台床を動かす床機構が属している場合には、操作ボタン５Ｂ１〜５Ｅ１の各々に対して、舞台床の鉛直方向における高さ位置を設定することも可能である。具体的には、操作ボタン５Ｂ１を、舞台面よりも上方の所定の高さ位置に舞台床を移動させるための操作ボタンとし、操作ボタン５Ｃ１を、舞台面に舞台床を移動させるための操作ボタンとし、操作ボタン５Ｄ１を、舞台面よりも下方の所定の高さ位置に舞台床を移動させるための操作ボタンとする。
【００９１】
なお、「第１操作ボタン」を構成する操作ボタンの個数は、操作対象となる舞台装置に要求される動作（機能）に応じて、舞台操作装置ごとに適宜設定され得る。したがって、たとえば、図１１に示されるように、必要な機能が増えるにつれて、操作ボタンを増やすことができる。
【００９２】
また、上述した実施の形態では、操作装置の代表例として、舞台操作装置を説明したが、複数の機器を操作する操作装置に対して本発明は共通に適用することが可能である。
【００９３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９４】
１  舞台操作装置、２  タッチスクリーン、３  操作卓、４  連結部材、５  操作部、８Ａ〜８Ｄ  表示領域、２０  表示部、２０Ａ  上部領域、２０Ｂ  下部領域、２２  第１入力部、３０  第２入力部、３２，Ｃ１〜Ｃｎ  制御部、３４  表示制御部、３６  運転制御部、３８  記憶部、４０，Ｔ１〜Ｔｎ  通信部、５０Ａ〜５０Ｄ  操作ボタン部、Ｄ１〜Ｄｎ  駆動部、ＳＡ１〜ＳＡｎ  舞台装置。
【要約】
【課題】複数の機器を一括して操作するときの誤操作を防止することが可能な操作装置を提供する。
【解決手段】舞台操作装置１は、複数の舞台装置にそれぞれ対応した複数のアイコンを、表示画面上に表示可能に構成されたディスプレイと、表示画面に対するユーザの入力操作を検出するタッチパネルと、タッチパネルが、表示画面上の複数のアイコンの中から少なくとも１つ以上のアイコンを選択する操作を検出した場合に、少なくとも１つ以上のアイコンを、表示画面に予め指定された表示領域内に一覧表示させるように構成された表示制御部と、表示領域に近接する位置に配置された機械式の操作部に対するユーザの入力操作に応答して、表示領域内の少なくとも１つ以上のアイコンに対応する少なくとも１つ以上の舞台装置を、一括して制御するように構成された運転制御部とを備える。
【選択図】図１【図１】
0005901736.tif 000002
【図２】
0005901736.tif 000003
【図３】
0005901736.tif 000004
【図４】
0005901736.tif 000005
【図５】
0005901736.tif 000006
【図６】
0005901736.tif 000007
【図７】
0005901736.tif 000008
【図８】
0005901736.tif 000009
【図９】
0005901736.tif 000010
【図１０】
0005901736.tif 000011
【図１１】
0005901736.tif 000012
【図１２】
0005901736.tif 000013